(57)【要約】      （修正有）【課題】介護用歩行器に用いられる座面シートの内の被介護人の尻部の坐る座接用クッション板を提供する。【解決手段】座接用クッション板は剛性のある板材１とこれを被包するカバーシート３とからなり本体側の下部フレーム１５に片持ち支持されている。この板材１には坐骨の当る部分のみクッション材４が形成され柔らかさと安全性と乗り心地のよさを与えている。また、カバーシート３の被包により坐り心地の改善が図られる。【選択図】図５
0003203839.tif 000002
【実用新案登録請求の範囲】
【請求項１】
介護用歩行器の本体側に回動可能に支持され被介護人が座接するための座面シートに設けられる座接用クッション板であって、該座接用クッション板は、前記座面シートの構成部材であって前記本体側に回動可能に支持され上部フレームとクロス材を介して下方側に併設される下部フレーム等とからなる座接用サイドフレームの前記下部フレームに基端側を固定して片持支持され前記被介護人の尻部の当接する面積を有する剛性のある板材からなり、該板材には被介護人の尻の坐骨の当る部位に他の部分よりも柔らかい軟質材が形成される事を特徴とする介護用歩行器の座面シートにおける座接用クッション板。
【請求項２】
前記板材が、カバーシートによって覆われ、前記カバーシートは、板材の全体を覆うクッション材と該クッション材の上面を覆って配置されクッション性のある材質からなる上部カバー材と前記クッション材の下面を覆って配置されて前記上部カバー材に連結され滑り性のある材質のものからなる下部カバー材とからなり、前記クッション材には座接用サイドフレームを構成する下部フレームに前記上部カバー材及び下部カバー材を保持するための接着性部材が設けられることを特徴とする請求項１に記載の介護用歩行器の座面シートにおける座接用クッション板。
【考案の詳細な説明】
【技術分野】
【０００１】  本考案は、介護用歩行器に左右に回動可能に配設されている座面シートの座接用クッション板の構造に関する。
【背景技術】
【０００２】  被介護人の使用に限定することなく歩行器には人間が座接すべき座面シートが設けられており、各種のものがあり、例えば「特許文献１」や「特許文献２」等が挙げられる。
【先行技術文献】
【特許文献】
【０００３】
【特許文献１】特開２００５−２８７９６５号（図１）
【特許文献２】特開平１０−１１７８７７号（図１）
【考案の概要】
【考案が解決しようとする課題】
【０００４】  「特許文献１」の「特開２００５−２８７９６５号」の「折りたたみ式車椅子型歩行器」は折り畳みが容易に出来る構造に特徴を有するものであり開閉式座面シートが設けられているが全体構造としては本考案の座接用クッション板の構造とは相異する。
一方、「特許文献２」の「特開平１０−１１７８７７号」の座席シートは両持ち式のものでなく本考案の片持ち式のものと相異すると共に本考案のように軟質材を有するものではない。【０００５】  座面シートとしては両持ちのものや片持ちのものがあり、片持ちの座面シートについては適当な先行技術は見当らず、仮りにあったとしても本考案のようにその一部に軟質材が設けられたり板材本体が特殊のカバーシートによって被包されているものはない。【０００６】  座面シートの座接用クッション板としては使用者が安定して座接することが勿論必要であるが人間の尻骨の内に特に突出している坐骨の部分に軟質のものがあり、座接の安定性や長期間座接性を担保するものが望ましい。
本考案は左右に両開き形式のため左右に片持ち式の座接用クッション板を形成するものであるがその構造に特殊性があり、かつ使用時には板材のみでなくクッション性のカバーシートが設けられるものであり、座接の安定性と長期座接性を担保し得る座接用クッション板を提供する事を目的とする。
【課題を解決するための手段】
【０００７】  本考案は、以上の目的を達成するために請求項１の考案は、介護用歩行器の本体側に回動可能に支持され被介護人が座接するための座面シートに設けられる座接用クッション板であって、該座接用クッション板は、前記座面シートの構成部材であって前記本体側に回動可能に支持され上部フレームとクロス材を介して下方側に併設される下部フレーム等とからなる座接用サイドフレームの前記下部フレームに基端側を固定して片持支持され前記被介護人の尻部の当接する面積を有する剛性のある板材からなり、該板材には被介護人の尻の坐骨の当る部位に他の部分よりも柔らかい軟質材が形成される事を特徴とする。【０００８】  また、請求項２の考案は、前記板材が、カバーシートによって覆われ、前記カバーシートは、板材の全体を覆うクッション材と該クッション材の上面を覆って配置されクッション性のある材質からなる上部カバー材と前記クッション材の下面を覆って配置されて前記上部カバー材に連結され滑り性のある材質のものからなる下部カバー材とからなり、前記クッション材には座接用サイドフレームを構成する下部フレームに前記上部カバー材及び下部カバー材を保持するための接着性部材が設けられることを特徴とする。
【考案の効果】
【０００９】  本考案の請求項１の介護用歩行器の座面シートにおける座接用クッション板によれば、剛性のある板材が介護用歩行器の座面シートの座接用サイドフレームに硬く片持的固持されると共に坐骨の当る部分に軟質材を設けて座接時において突出している坐骨への集中力を緩和している。【００１０】  また、本考案の請求項２の介護用歩行器の座面シートにおける座接用クッション板によれば、板材からクッション性のあるカバーシートによって被包されると共にクッション性のある上部カバー材と滑りのある下部カバー材を用いて使用時における乗り心地を向上していると共に本体側の下部シートには接着性部材により容易に、かつ確実に取り上げることが出来、坐り心地の良い座面シートを形成する効果を上げることが出来る。
【図面の簡単な説明】
【００１１】
【図１】本考案の座接用クッション板を設置される介護用歩行器の概要全体構造を示す斜視図。
【図２】介護用歩行器に使用される座面シートの概要構造を示す斜視図。
【図３】本考案における座接用クッション板の板材の構造を示す平面図（ａ）とこのＡ−Ａ線断面図（ｂ）。
【図４】本考案のカバーシートの全体構造を示す平面図（ａ）とそのＢ−Ｂ線断面図（ｂ）。
【図５】使用時における本考案の座接用クッション板の構造を示す断面図。
【考案を実施するための形態】
【００１２】  以下、本考案の介護用歩行器の座面シートにおける座接用クッション板の実施の形態を図面を参照して詳述する。
【実施例】
【００１３】  図１は本考案の座接用クッション板１００が設けられている介護用歩行器の全体概要構造を示す。
介護用歩行器としては本体側２００と本考案に関連する座面シート３００とに区別する。【００１４】  本体側２００としてはキャスタ１０を有する左右のベースフレーム１１，１１とこれを連結するクロスフレームからなるＨ型のフレームとこれに回動可能に支持されているスイングフレーム１２等があり、スイングフレーム１２には回動可能に支持されている座面シート３００が設けられている。【００１５】  座面シート３００は図２に示すように座接用サイドフレーム４００と本考案の座接用クッション板１００等とからなる。なお、座接用サイドフレーム４００は上部フレーム１３と前後のクロス材１４を介して併設される下部フレーム１５等とからなる。
本考案の座接用クッション板１００は図２に示すように下部フレーム１５に片持ち支持されているものからなる。【００１６】  座接用クッション板１００は大別して図３に示す板材１とこれを被覆する図４に示すカバーシート３とからなる。【００１７】  板材１は図１に示すように剛性のある板材料からなり先端側にアール部１ａ，１ｂが設けられている。アール部１ａは座接用クッション板の操作時における回動角度を減少させるためのものでありアーム１ｂは軽量化のためである。この板材１には図示のように軟質材２が設けられ、座接時においてこの部分に坐骨（図略）が当接するものである。この軟質材２としては特別のものでなく軟質の材料のものが適用されれば良く、板材１側に安定的に固持されるものであれば良い。【００１８】  前記のように板材１はそのもの自体として剛性を有するものであるが下部フレーム１５に片持ち支持する必要があり図示のような補強板８や補強板９が設けられている。この補強板８は図示では３本のものからなり板材１の下部に固定されると共に後端はやや立上って下部フレーム１５に挿入されて固持される。また、補強板９は３本の補強板８を下部から固持するもので平板状のものが本考案では使用されている。【００１９】  カバーシート３は図４に示すように、クッション材４とこれを覆う上面側の上部カバー材５と下面側下部カバー材６とからなり全体として板材１を被包するものからなる。なお、クッション材４はその後端側に接着性部材７（７ａ，７ｂ）を設けており、これはカバーシート３を下部フレーム１５に着脱可能に固定するためのものである。
上部カバー材５はクッション性のある材質（ポリエチレン等）のものが使用され下部カバー材６は滑り性のある材質（ポリエチレン等）の布材が夫々使用されている。また、接着性部材７は例えばマジックテープ（商標登録されているもの）が一例として使用されている。【００２０】  図５は本考案の座接用クッション板１００の取り付け状態を示すものであり、板材１は補強板８や補強板９により下部フレーム１５側に固定されて片持ち支持されている。この板材１はカバーシート３により被包されカバーシート３は接着性部材７により下部フレーム１５側に接着固定されている。【００２１】  以上の構造により心地よい座面を形成することが出来、坐り心地の向上と安定性の向上を図ることが出来る。【００２２】  本考案は以上の説明の内容からなるが、その内容は前記のものに限定するものではなく同一技術的範疇のものが適用されることは勿論である。
【産業上の利用可能性】
【００２３】  本考案の座接用カバーシート板は図１に示す介護用歩行器にのみ適用されるものではなく、片持ち支持される座面シートの一部として適用され、その利用範囲は広い。
【符号の説明】
【００２４】  １      板材
１ａ    アール部
１ｂ    アール部
２      軟質材
３      カバーシート
４      クッション材
５      上部カバー材
６      下部カバー材
７      接着性部材
８      補強板
９      補強板
１０    キャスタ
１１    ベースフレーム
１２    スイングフレーム
１３    上部フレーム
１４    クロス材
１５    下部フレーム
１００  座接用クッション板
２００  本体側
３００  座面シート
４００  座接用サイドフレーム
【図１】
0003203839.tif 000003
【図２】
0003203839.tif 000004
【図３】
0003203839.tif 000005
【図４】
0003203839.tif 000006
【図５】
0003203839.tif 000007